(57)【要約】【課題】新規でユニークな販売促進の手法を提供することにより、さらなる自動車の需要を喚起する。【解決手段】自動車の購入契約がされた際、自動車特定情報と購入者特定情報とをデータベース手段がデータベースファイル６１のレコードに記憶し、購入契約後、その自動車について発行された自動車登録番号を、該当するレコードにデータベース手段が記憶する。印刷手段は、記憶された自動車登録番号を、購入契約された自動車と車種及び色が一致するミニカー８が備えるナンバープレート取付部８１に適合するとともに当該ミニカー８と同一の縮尺であって実際のナンバープレートと同様のレイアウトで印刷する。自動車登録番号が印刷されたミニプレート９１をナンバープレート取付部８１に貼り付けて購入者に販売促進用として進呈する。【選択図】  図３
2004185069.tif 000002
【特許請求の範囲】
【請求項１】
自動車の購入契約がされた際、その自動車を特定する自動車特定情報と、購入者を特定する購入者特定情報とを、購入契約データベースファイルとデータベース管理プログラムとからなるデータベース手段がそのデータベースファイルの一つのレコードに記憶する購入契約記憶ステップと、
購入契約後、その自動車について発行された自動車登録番号を、購入契約データベースファイルの該当するレコードにデータベース手段が記憶するナンバー記憶ステップと、
前記データベース手段から送られたデータに従い、記憶された自動車登録番号を印刷手段が印刷する印刷ステップとを有する自動車の販売促進方法であって、前記印刷ステップは、購入契約された自動車と車種及び色が一致するミニカーが備えるナンバープレート取付部に適合するとともに当該ミニカーと同一の縮尺であって実際のナンバープレートと同様のレイアウトで前記自動車登録番号を印刷するステップであること特徴とする自動車の販売促進方法。
【請求項２】
前記印刷ステップは、台紙から剥離した後に前記ナンバープレート取付部に貼り付けすることのできるシールに前記印刷手段が前記自動車登録番号を印刷するステップであることを特徴とする請求項１記載の自動車の販売促進方法。
【請求項３】
前記印刷ステップは、複数の異なる自動車登録番号を１枚の前記シートに前記印刷手段が印刷するステップであることを特徴とする請求項１又は２記載の自動車の販売促進方法。
【請求項４】
購入契約データベースファイルとデータベース管理プログラムとからなり、自動車の購入契約がされた際、その自動車を特定する自動車特定情報と、購入者を特定する購入者特定情報とを購入契約データベースファイルに記録するデータベース手段と、印刷手段とを備えた自動者販売促進システムであって、
前記データベース手段は、自動車の購入契約後、その自動車について発行された自動車登録番号を、購入契約データベースファイルの該当するレコードに記憶するものであり、
前記印刷手段は、前記データベース手段から送られたデータに従い、記憶された自動車登録番号を印刷するものであって、購入契約された自動車と車種及び色が一致するミニカーが備えるナンバープレート取付部に適合する寸法形状のシートに対し、実際のナンバープレートと同様のレイアウトで前記自動車登録番号を印刷するものであること特徴とする自動車販売促進システム。
【請求項５】
前記印刷手段は、複数の異なる自動車登録番号を１枚の前記シートに印刷するものであることを特徴とする請求項４記載の自動車販売促進システム。
【請求項６】
前記購入契約データベースファイルに記憶された情報を表示する表示部が備えられており、一つのレコードに記憶された車種、色及び自動車登番号を同時に表示部に表示する表示プログラムを備えていることを特徴とする請求項４又は５記載の自動車販売促進システム。
【発明の詳細な説明】
【０００１】
【発明の属する技術分野】
本願の発明は、自動車の販売促進に関するものである。自動車は、広い概念であり、四輪車の他、自動二輪も含む。
【０００２】
【従来の技術】
従来より、自動車の販売促進方法として種々のものが行われている。特別仕様車の設定やキャンペーンによる値引き、低利率のローンの設定などである。この他、販売代理店に来店した顧客に景品をプレゼントして来店を促進することもよく行われている。
【０００３】
【発明が解決しようとする課題】
本願の発明は、このような販売促進に加え、新規でユニークな販売促進の手法を提供することにより、さらなる自動車の需要を喚起する技術的意義を有するものである。
【０００４】
【課題を解決するための手段】
上記課題を解決するため、本願の請求項１記載の発明は、自動車の購入契約がされた際、その自動車を特定する自動車特定情報と、購入者を特定する購入者特定情報とを、購入契約データベースファイルとデータベース管理プログラムとからなるデータベース手段がそのデータベースファイルの一つのレコードに記憶する購入契約記憶ステップと、
購入契約後、その自動車について発行された自動車登録番号を、購入契約データベースファイルの該当するレコードにデータベース手段が記憶するナンバー記憶ステップと、
前記データベース手段から送られたデータに従い、記憶された自動車登録番号を印刷手段が印刷する印刷ステップとを有する自動車の販売促進方法であって、前記印刷ステップは、購入契約された自動車と車種及び色が一致するミニカーが備えるナンバープレート取付部に適合するとともに当該ミニカーと同一の縮尺であって実際のナンバープレートと同様のレイアウトで前記自動車登録番号を印刷するステップであるという構成を有する。
また、上記課題を解決するため、請求項２記載の発明は、前記請求項１の構成において、前記印刷ステップは、台紙から剥離した後に前記ナンバープレート取付部に貼り付けすることのできるシールに前記印刷手段が前記自動車登録番号を印刷するステップであるという構成を有する。
また、上記課題を解決するため、請求項３記載の発明は、前記請求項１又は２の構成において、前記印刷ステップは、複数の異なる自動車登録番号を１枚の前記シートに前記印刷手段が印刷するステップであるという構成を有する。
また、上記課題を解決するため、請求項４記載の発明は、購入契約データベースファイルとデータベース管理プログラムとからなり、自動車の購入契約がされた際、その自動車を特定する自動車特定情報と、購入者を特定する購入者特定情報とを購入契約データベースファイルに記録するデータベース手段と、印刷手段とを備えた自動者販売促進システムであって、
前記データベース手段は、自動車の購入契約後、その自動車について発行された自動車登録番号を、購入契約データベースファイルの該当するレコードに記憶するものであり、
前記印刷手段は、前記データベース手段から送られたデータに従い、記憶された自動車登録番号を印刷するものであって、購入契約された自動車と車種及び色が一致するミニカーが備えるナンバープレート取付部に適合する寸法形状のシートに対し、実際のナンバープレートと同様のレイアウトで前記自動車登録番号を印刷するものであるという構成を有する。
また、上記課題を解決するため、請求項５記載の発明は、前記請求項４の構成において、前記印刷手段は、複数の異なる自動車登録番号を１枚の前記シートに印刷するものであるという構成を有する。
また、上記課題を解決するため、請求項６記載の発明は、前記請求項４又は５の構成において、前記購入契約データベースファイルに記憶された情報を表示する表示部が備えられており、一つのレコードに記憶された車種、色及び自動車登番号を同時に表示部に表示する表示プログラムを備えているという構成を有する。
【０００５】
【発明の実施の形態】
以下、本願発明の実施の形態（以下、実施形態）について説明する。
図１は、本願発明の実施形態の自動者販売促進システムの概略構成を示す図である。この自動車販売促進システムは、ＯＳ（Ｏｐｅｒａｔｉｎｇ  Ｓｙｓｔｅｍ）がインストールされたコンピュータで構成されている。このコンピュータは、ＣＰＵ１と、主記憶手段としてのメモリ２（ＲＯＭやＲＡＭ）と、周辺記憶手段としてのハードディスク３と、表示手段としてのディスプレイ４と、入力手段としてのキーボード５１やマウス５２等から構成されている。
【０００６】
ＣＰＵ１としては、クロック周波数１ＭＨｚから数ＭＨｚ程度のマイクロプロセッサが使用される。メモリ２としては、例えば１２８Ｍｂｉｔ〜５１２Ｍｂｉｔ程度のＤＲＡＭが使用される。ＯＳには、Ｗｉｎｄｏｗｓ（登録商標）やＵｎｉｘ（登録商標）、Ｌｉｎｕｘ等、周知のものを採用し得る。ハードディスク３は、ＳＣＳＩのような必要なインターフェースを備えており、１〜数Ｇｂｉｔ程度の記憶容量のものが好適に使用される。このようなコンピュータは、現在市販されているパソコンによる容易に構成することができる。尚、コンピュータは、本システムを利用して販売促進を行う販売店に置かれている。
【０００７】
本実施形態のシステムは、自動車の販売促進のため、自動車の購入契約情報を管理するデータベース手段を備えている。このデータベース手段は、ハードウェア資源としての上述したＣＰＵ１及びメモリ２と、各種のデータベースファイル（以下ＤＢＦ）６１と、ＤＢＦ６１を管理するデータベース管理プログラム（以下、ＤＢＭＳ）６２とから成っている。ＤＢＭＳ６２としては、マイクロソフト社のＡｃｃｅｓｓやＥｘｃｅｌ、オラクル社のＯｒａｃｌｅなどが使用できる。
【０００８】
ＤＢＦ６１の一つは、一つの購入契約を一つのレコードにしたＤＢＦ６１（以下、購入契約ＤＢＦ６１）となっている。図２は、購入契約ＤＢＦ６１のファイル構造について示した図である。図２に示すように、購入契約ＤＢＦ６１は、
・購入者氏名
・購入者住所
・購入車種
・色
・販売店名
・販売店ＩＤ
・引き渡し予定日
・自動車登録番号
等の情報を記憶するフィールドから成る一つのレコードを多数登録したものとなっている。
【０００９】
また、本実施形態のシステムは、印刷手段を備えている。印刷手段は、同じくハードウェア資源としてのＣＰＵ１及びメモリ２と、ソフトウェアであるプリンタドライバ７１及び印刷プログラム７２と、プリンタドライバ７１及び印刷プログラム７２によって動作するプリンタ７３とから構成されている。プリンタドライバ７１及び印刷プログラム７２は、ハードディスク３に予めインストールされている。
【００１０】
次に、自動車販売促進方法の実施形態の説明も兼ねて、本実施形態のシステムの動作について、図１及び図３を使用して説明する。図３は、自動車販売方法の実施形態について示した概略図である。
本実施形態の方法及びシステムの大きな特徴点は、自動車の販売促進として、自動車の購入契約者に、購入した自動車と同じ車種及び色のミニカー８をプレゼントすることができるようにしているとともに、その際、その自動車用として陸運局から発行された自動車登録番号と同じナンバーがナンバープレートに表示されるようにしている点である。
【００１１】
より具体的に説明すると、販売店において購入者との間で自動車の購入契約が締結される。この際、販売店において、店員は、キーボード５１やマウス５２を操作し、
・購入者氏名
・購入者住所
・購入車種
・色
等の情報を入力する。データベース手段は、購入情報ＤＢＦ６１に新しいレコードを追加し、入力された情報を購入情報ＤＢＦ６１に記憶する。
【００１２】
次に、その販売店の店員は、管轄の陸運局に新しい自動車登録番号の発行を申請する。そして、自動車登録番号が発行されると、販売店の店員は、該当するレコードのフィールドにその自動車登録番号を入力する。
一方、販売促進用のミニカー８が販売店に納入される。このミニカー８は、販売促進用であるため、安価なコストで製作されることが好ましい。例えば、各部材は射出成形で形成された樹脂製とされる。寸法としては、実際の自動車の１／７２〜１／６程度で良い。色は、実際に販売される自動車と同じで、より好ましくは、実際に販売される自動車と同じ塗料が使われる。「色が同じ」とは、完全に一致する必要はなく、同系色であれば足りる場合もあり、完全に一致する場合に限られる趣旨ではない。
【００１３】
販売店の店員は、自動車登録番号が発行された後、その自動車の引き渡しの前又は後に、本システムを操作して、自動車登録番号を印刷する。店員は、キーボード５１から購入者氏名などの購入情報を入力する。データベース手段は、入力された購入情報により購入情報ＤＢＦ６１を検索し、該当するレコードに記憶された情報を読み出す。読み出された情報は、コンピュータのＯＳに含まれる表示プログラムによりディスプレイ４に表示される。表示される情報には、自動車の車種や色、自動車登録番号が含まれる。店員は、表示された情報を確認し、ナンバー印刷プログラム７２を実行する。
【００１４】
印刷プログラム７２は、用意されたミニカー８が備えるナンバープレート取付部８１に適合する寸法形状であるとともに当該ミニカー８と同一の縮尺であって実際のナンバープレートと同様のレイアウトで自動車登録番号を印刷するプログラムである。本実施形態では、自動車登録番号は、台紙から剥離した後にナンバープレート取付部８１に貼り付けすることのできるシールに印刷されるようになっている。また、図３に示すように、複数の異なる自動車登録番号が１枚のシート９に印刷されるようになっている。このシート９は、台紙とシールとから成っている。
【００１５】
例えば、ミニカー８の縮尺が１／２４程度であると、ミニカー８のナンバープレート取付部８１の大きさも同程度の縮尺であり、縦６．９ｍｍ，横１３．８ｍｍ程度である。印刷プログラム７２は、この程度の大きさの領域内に、同様の縮尺で文字や数字を印刷するようになっている。シート９は、図３に示すように、この程度の大きさの方形で各シールが剥がれるようになっている。そして、各シールに印刷される文字や数字のレイアウトも、実際のナンバープレートと同じになるようになっている。以下、このようにして自動車登録番号を印刷したものを「ミニプレート」と称する。尚、「実際のナンバープレートと同様のレイアウト」とは、実際の車をナンバープレートまで含めてミニカーにしたようにする、という程度の趣旨であり、レイアウトが完全に一致したり、自動車登録番号の字体が完全に一致したりするものに限定される訳ではない。ミニカーが持つ自動車自体の再現性（実物との同一性）の範囲内で同一であればよく、多少のレイアウトのズレや字体の相違は許容される。
【００１６】
印刷プログラム７２は、１枚のシート９における印刷位置、文字や数字の大きさ、レイアウト等が、上記のようになるようプログラミングされている。印刷プログラム７２は、ＤＢＭＳ６２が備える印刷メニューにおいて、上記のような印刷が行われるように設定が行われて作られたプログラムの場合もあるし、上記のような印刷がＯＳ下において行われるよう特別に作られたプログラムである場合もある。
【００１７】
販売店の店員は、このように自動車登録番号が印刷されたシールであるミニプレート９１を台紙から剥がし、用意されたミニカー８のナンバープレート取付部８１に貼り付ける。この際、ミニカー８の車種と色、自動車登録番号等が、進呈する購入者のものとして正しいかどうか、該当レコードの情報をディスプレイ４に表示する等して確認する。尚、ミニプレート９１は二枚印刷され、前後のナンバープレート取付部８１にそれぞれ貼り付けられる。このようにしてミニプレート９１を貼り付けた後、そのミニカー８を購入者に進呈する。
【００１８】
尚、自動車登録番号の印刷は、進呈するミニカー８の数がある程度まとまった段階で行われる。この場合、異なる複数の自動車登録番号を１枚のシート９に印刷する。このようにすると、効率が良い。また、ミニプレート９１は、前述した通り小さなものなので、その大きさのシート９に一枚ずつ印刷することは非現実的であり、Ａ４サイズのような大きなシート９にまとめて印刷する方が、既存のプリンタ７３を使用する上で現実的である。
【００１９】
本実施形態の方法及びシステムによれば、購入契約者に、購入した自動車と同じ車種及び色のミニカー８をプレゼントする際、そのミニカー８が備えるナンバープレート取付部８１に適合するとともに当該ミニカー８と同一の縮尺であって実際のナンバープレートと同様のレイアウトで自動車登録番号が印刷されたものをミニカー８のナンバープレートに貼り付けることができる。つまり、購入契約者に、ナンバープレートまで含めて実際の自分の自動車を再現したミニカー８をプレゼントすることができる。このため、自動車の販売促進としてより効果的になり、販売店における販売台数の増加が見込める。
【００２０】
上記説明において、「印刷」とは広い概念であり、紙やシールに印刷する場合に限られない。実際のナンバープレートにより近づけるには、例えばプレート状のものに直接印刷することが考えられる。例えば、プラスチックのプレートにレーザーを走査して印字する手段を採用するようにしても良い。レーザーの熱によりプレートの表面が変色し、紙への印刷と同様の効果を得ることができる。
【００２１】
また、上記説明では、自動車登録番号の印刷は、販売店において行うとしたが、別の場所で行う場合もある。例えば、ミニカー８の製作と自動車登録番号の印刷を請け負う業者において一括して行われる場合もある。また、ミニプレート９１の貼り付けは、ミニカー８をプレゼントされた購入者が行う場合もある。つまり、ミニカー８とミニプレート９１を別々にプレゼントする場合もある。さらに、ミニカー８の車種や色、自動車登録番号等が間違いないかどうかの確認は、ディスプレイ４を見ながら行う場合もあるが、これらの情報を紙に印刷して確認する場合もある。
【００２２】
【発明の効果】
以上説明した通り、本願の各請求項記載の発明によれば、購入契約者に、購入した自動車と同じ車種及び色のミニカーをプレゼントする際、そのミニカーが備えるナンバープレート取付部に適合するとともに当該ミニカーと同一の縮尺であって実際のナンバープレートと同様のレイアウトで自動車登録番号が印刷されたものをミニカーのナンバープレートに貼り付けることができる。つまり、購入契約者に、ナンバープレートまで含めて実際の自分の自動車を再現したミニカーをプレゼントすることができる。このため、自動車の販売促進としてより効果的になり、販売店における販売台数の増加が見込める。
また、請求項２記載の発明によれば、上記効果に加え、自動車登録番号がシールに印刷されるので、ミニカーのナンバープレート取付部への貼り付けが容易である。
また、請求項６記載の発明によれば、上記効果に加え、自動車登録番号が印刷されたもの貼り付ける際を、車種、色及び自動車登番号を表示部で見て正しいかどうか確認しながら行えるので、間違ったものを購入者に進呈してしまうことがおそれが小さくなる。
【図面の簡単な説明】
【図１】本願発明の実施形態の自動者販売促進システムの概略構成を示す図である。
【図２】購入契約ＤＢＦ６１のファイル構造について示した図である。
【図３】印刷プログラム７２によって印刷された自動車登録番号について示した図である。
【符号の説明】
１  ＣＰＵ
２  メモリ
３  ハードディスク
４  ディスプレイ
５１  キーボード
５２  マウス
６１  ＤＢＦ
６２  ＤＢＭＳ
７１  プリンタドライバ
７２  印刷プログラム
７３  プリンタ
８  ミニカー
８１  ナンバープレート取付部
９  シート
９１  ミニプレート
【図１】
2004185069.tif 000003
【図２】
2004185069.tif 000004
【図３】
2004185069.tif 000005